(57)【特許請求の範囲】
【請求項１】
シャワヘッドと、このシャワヘッドから下方に連設されたグリップとを有し、水栓本体にシャワホースを介して接続されており、
シャワ板、および、異なる散水状態に切替えるときに操作され切替え時にはシャワヘッドに対して前記シャワ板とともに回転するダイアルを有するシャワ口部をシャワヘッドの正面側の左右に設け、
さらに、シャワホースからシャワヘッド内に至る供給流路と連通する二つの流通流路が、シャワヘッド内に左右に分岐した状態で形成されており、
前記二つの流通流路のうち一方の流通流路の下流側および他方の流通流路の下流側にそれぞれ前記シャワ口部を設けるとともに、
前記供給流路および前記一方の流通流路を連通させるとともに前記供給流路および前記他方の流通流路を連通させる散水状態と、前記供給流路および前記一方の流通流路を遮断させるとともに前記供給流路および前記他方の流通流路を遮断させる止水状態とに切替える機能を有する止水機構を設け、
この止水機構は、シャワヘッドの背面側に設けられて散水状態と止水状態とに切替えるための操作部を含むよう構成されたハンドシャワであって、
前記操作部は、シーソー式のボタンに構成されており、さらに、この操作部は、二分割されており、上ボタンとこれに接合する下ボタンとよりなるとともに、前記下ボタンは、これを押せば止水状態となる指標を示すインジケータを一方側に有する一方、これを押せば吐水状態となる指標を示すインジケータを他方側に有しており、また、
前記止水機構は、
前記操作部と、
開閉弁と、
散水状態と止水状態とに切替える前記操作部の往復運動を前記開閉弁の回転運動に変換するためのクランク部材と、
前記一方および他方の流通流路を形成するとともに、止水状態において前記開閉弁によって閉塞される開口および前記開閉弁が当接する弁座としてのシートを有する流通流路形成部材と、
前記供給流路の最下流側を形成する供給流路形成部材とを有し、
更に、前記クランク部材は、
前記流通流路形成部材に設けた嵌合孔を介して、前記上ボタンに設けた嵌合孔に嵌合される上嵌合部と、
前記供給流路形成部材に設けた嵌合孔を介して、前記下ボタンに設けた嵌合孔に嵌合する下嵌合部と、
前記開閉弁が着脱自在に嵌め込まれる上向き嵌込孔を有する弁嵌込み部とからなり、
前記流通流路形成部材の前記開口が前記開閉弁によって閉塞されていない散水状態から、前記開口が前記開閉弁によって閉塞される止水状態への切替えは、
使用者が、前記下ボタンに設けた一方側の前記インジケータを押圧することにより前記クランク部材の前記上嵌合部と下嵌合部の部分が回転軸部となって前記弁嵌込み部が前記開口の直下に回動し、前記弁嵌込み部に嵌込まれている前記開閉弁が前記シートに当接するよう構成されていることを特徴とするハンドシャワ。
【請求項２】
前記一方の流通流路の下流側および前記他方の流通流路の下流側にそれぞれ一つのシャワ口部が設けられており、前記下ボタンは、これを押せば止水状態となる指標を示すインジケータとしての一対の垂直片を正面向かって右側に有する一方、これを押せば吐水状態となる指標を示すインジケータとしての一個の点を正面向かって左側に有する請求項１に記載のハンドシャワ。
【請求項３】
流量調節機構を設けてある請求項１または請求項２に記載のハンドシャワ。
【請求項４】
節水機構を設けてある請求項１ないし請求項３のいずれかに記載のハンドシャワ。
【請求項５】
熱湯の供給を阻止する熱湯阻止機構を設けてある請求項１ないし請求項４のいずれかに記載のハンドシャワ。
【請求項６】
前記シャワヘッドのグリップ部にエラストマー樹脂がコーティングされている請求項１ないし請求項５のいずれかに記載のハンドシャワ。
【発明の詳細な説明】
【０００１】
【発明の属する技術分野】
この発明は、例えば浴室内で使用される新規なハンドシャワに関するものである。
【０００２】
【従来の技術および発明が解決しようとする課題】
浴室内で使用されるハンドシャワとして、シャワヘッドに例えばシャワ状態とマッサージ状態とに切替え可能に装着してあるシャワ口部を備えたものがあるけれども、散水範囲は必ずしも広くはなかった。
【０００３】
この発明は、散水範囲を広げることができるとともに、斬新な意匠感を与えるハンドシャワを提供することを目的とする。
【０００４】
【課題を解決するための手段】
上記目的を達成するために、この発明は、シャワヘッドと、このシャワヘッドから下方に連設されたグリップとを有し、水栓本体にシャワホースを介して接続されており、
シャワ板、および、異なる散水状態に切替えるときに操作され切替え時にはシャワヘッドに対して前記シャワ板とともに回転するダイアルを有するシャワ口部をシャワヘッドの正面側の左右に設け、
さらに、シャワホースからシャワヘッド内に至る供給流路と連通する二つの流通流路が、シャワヘッド内に左右に分岐した状態で形成されており、
前記二つの流通流路のうち一方の流通流路の下流側および他方の流通流路の下流側にそれぞれ前記シャワ口部を設けるとともに、
前記供給流路および前記一方の流通流路を連通させるとともに前記供給流路および前記他方の流通流路を連通させる散水状態と、前記供給流路および前記一方の流通流路を遮断させるとともに前記供給流路および前記他方の流通流路を遮断させる止水状態とに切替える機能を有する止水機構を設け、
この止水機構は、シャワヘッドの背面側に設けられて散水状態と止水状態とに切替えるための操作部を含むよう構成されたハンドシャワであって、
前記操作部は、シーソー式のボタンに構成されており、さらに、この操作部は、二分割されており、上ボタンとこれに接合する下ボタンとよりなるとともに、前記下ボタンは、これを押せば止水状態となる指標を示すインジケータを一方側に有する一方、これを押せば吐水状態となる指標を示すインジケータを他方側に有しており、また、
前記止水機構は、
前記操作部と、
開閉弁と、
散水状態と止水状態とに切替える前記操作部の往復運動を前記開閉弁の回転運動に変換するためのクランク部材と、
前記一方および他方の流通流路を形成するとともに、止水状態において前記開閉弁によって閉塞される開口および前記開閉弁が当接する弁座としてのシートを有する流通流路形成部材と、
前記供給流路の最下流側を形成する供給流路形成部材とを有し、
更に、前記クランク部材は、
前記流通流路形成部材に設けた嵌合孔を介して、前記上ボタンに設けた嵌合孔に嵌合される上嵌合部と、
前記供給流路形成部材に設けた嵌合孔を介して、前記下ボタンに設けた嵌合孔に嵌合する下嵌合部と、
前記開閉弁が着脱自在に嵌め込まれる上向き嵌込孔を有する弁嵌込み部とからなり、
前記流通流路形成部材の前記開口が前記開閉弁によって閉塞されていない散水状態から、前記開口が前記開閉弁によって閉塞される止水状態への切替えは、
使用者が、前記下ボタンに設けた一方側の前記インジケータを押圧することにより前記クランク部材の前記上嵌合部と下嵌合部の部分が回転軸部となって前記弁嵌込み部が前記開口の直下に回動し、前記弁嵌込み部に嵌込まれている前記開閉弁が前記シートに当接するよう構成されていることを特徴としている。
【０００５】
【発明の実施の形態】
以下にこの発明の参考例及び実施の形態について説明する。なお、この発明はそれによって限定されるものではない。
【０００６】
図１〜図５は、シャワヘッドに複数のシャワ口部を設けるとともに、各シャワ口部は散水状態の切替えが可能であり、更に、シャワヘッドの背面に、散水状態と止水状態とに切替えるための操作部を設けてある参考例を示す。
【０００７】
まず、図５において、１は、湯水混合水栓２の本体、３は、ハンドシャワで、シャワヘッド３３と、このシャワヘッド３３から下方に連設されたグリップ３４とを有し、このグリップ３４を介して例えば浴室の壁に設けたフックにハンドシャワ３が取り付けられる。ハンドシャワ３は、水栓本体２にシャワホース４を介して接続されている。前記水栓本体１は、シングルレバー５と、ハンドシャワ側・吐水管６側に吐出流路を切替えるためのコック７を備えている。シングルレバー５は、給湯配管、給湯用偏心管８および水栓本体２の湯流入口９を介して水栓本体２内に流入される湯と、給水配管、給水用偏心管１０および水栓本体２の水流入口１１を介して水栓本体２内に流入される水とを適当な割合で混合する湯温調整機能と、湯、水、混合水の止水・吐水機能と、吐水流量を調整する流量調整機能を有する。
【０００８】
以下、この参考例について説明する。
【０００９】
図１〜図５において、前記シャワヘッド３３は、前面に二つのシャワ口部１３，１４を有する。シャワ口部１３とシャワ口部１４は同一形状である。
【００１０】
前記シャワ口部１３は、正面視円形でディスク状のシャワ板１５と、ダイアル１６とよりなる。このダイアル１６は、二つの異なる散水状態、例えばシャワ散水状態とマッサージ散水状態に切替えるときに操作されるもので、切替え時にはシャワ板１５とともに回転する。
前記シャワ口部１４も、正面視円形でディスク状のシャワ板１５’と、ダイアル１６’とよりなる。このダイアル１６’は、二つの異なる散水状態、例えばシャワ散水状態とマッサージ散水状態に切替えるときに操作されるもので、切替え時にはシャワ板１５’とともに回転する。
なお、シャワ口部１３，１４は、それぞれ、既存のハンドシャワのシャワ口部の大きさよりも小さな大きさを有する。
【００１１】
前記シャワ板１５，１５’は、それぞれ、外周部分に複数の外側散水孔１８を有する。この外側散水孔１８で、通常のシャワ散水状態が可能である。
【００１２】
また、前記シャワ板１５，１５’は、それぞれ、前記外周部分の内側の内周部分に複数の内側散水孔１９を有する。この内側散水孔１９で、通常のマッサージ散水状態が可能である。
【００１３】
また、前記シャワヘッド３３は、内部に、各種散水部材が収容される筐体２０を複数のリブ２１ａによって固定された状態で有する。
【００１４】
前記筐体２０は、シャワ板１５に対応する位置に設けた収容部分２０ａと、シャワ板１５’に対応する位置に設けた収容部分２０ｂと、両者２０ａ，２０ｂを連通する連通部材２１とよりなる。２２，２３は、その連通孔である。
【００１５】
更に、前記連通部材２１は、水栓本体２からの湯、水、混合水の供給流路Ｓに連通するよう構成されている。２４は、その連通孔である。
【００１６】
一方、前記収容部分２０ａには、固定ディスク２５と、弁座部材２６と、渦巻翼２７と、羽根車２８がこの順で収容されており、これらを覆うようにシャワ口部１３がシャワヘッド３３に回転自在に装着されている。
【００１７】
すなわち、収容部分２０ａの奥に設けたバネ２９を介して固定ディスク２５が固定設置されている。
【００１８】
前記固定ディスク２５は、一方に開口３０を有する有底筒状で、連通部材２１によって形成される一方の流通流路Ｐを介して供給流路Ｓに連通する一対の導入孔３１，３１を有する。
【００１９】
そして、前記固定ディスク２５上には弁座部材２６が摺動自在に載置されている。弁座部材２６は、一方に開口３５を有する有底筒状で、底部に一対の孔３６，３６を有する。この孔３６，３６は、前記内側散水孔１９からの散水時において前記導入孔３１，３１に整合される。
【００２０】
前記渦巻翼２７は、前記弁座部材２６内に嵌挿され、かつ、係止されるもので、羽根車２８の回転中心軸３７に差し込まれた同軸の状態で位置する。前記渦巻翼２７は、一方向に回転する渦巻状の湯水によって円板状の羽根車２８を回転し易くさせるためのものである。
【００２１】
前記羽根車２８は、渦巻翼２７の中心支持軸部によって回転可能に支持される。
【００２２】
前記固定ディスク２５、弁座部材２６、渦巻翼２７および羽根車２８は公知のものを使用しており（特願２０００−１３９７７８号明細書、図面参照）、シャワ口部１３の切替え操作に連動するこれらの部材２５，２６，２７，２８からシャワ口部１３における散水機構が構成される。
【００２３】
すなわち、シャワ口部１３をマッサージ散水状態に切替え操作すると、固定ディスク２５の導入孔３１に弁座部材２６の孔３６が整合し、この孔３６を通った湯水が、下流に設けた一対の翼を有する渦巻翼２７を通過した時点で一方向に回転する渦巻状になって円板状の羽根車２８を回転させながら、羽根車２８の回転中心軸３７のまわりに形成された一対の連通孔４０を通って内側散水孔１９から散水する。
【００２４】
なお、シャワ口部１４における散水機構はシャワ口部１３における散水機構と同一構成である。また、Ｑは、連通部材２１によって形成される他方の流通流路である。
【００２５】
次に、散水状態と止水状態とに切替えるための止水機構について説明する。
【００２６】
４１は、略柱状のスピンドルで、供給流路Ｓおよび流通流路Ｐと供給流路Ｓおよび流通流路Ｑを連通させる散水状態と、供給流路Ｓおよび流通流路Ｐを遮断させるとともに供給流路Ｓおよび流通流路Ｑを遮断させる止水状態とに切替える機能を有する。
【００２７】
スピンドル４１は、その軸方向に直角な径方向に設けた貫通孔４２を有する。４３は、筒状体で、スピンドル４１が散水状態になったときは、貫通孔４２に筒状体４３の開口４３ａが連通する。前記筒状体４３は、バネ４５によって常時スピンドル４１の胴側に付勢されている。
【００２８】
４６は、散水状態と止水状態とに切替えるための操作部で、シャワヘッド３３の背面側で、スピンドル４１に対応する位置に設けてある。この操作部４６は、シーソー式のボタンに構成されている。そして、操作部４６が操作されてスピンドル４１が散水状態になったり、あるいは、操作部４６が操作されてスピンドル４１が止水状態になったりするよう操作部４６とスピンドル４１が連動手段によって連結されている。
【００２９】
また、グリップ部３４にエラストマー樹脂がコーティングされており、滑らず握り易くなっている。５０は、エラストマー樹脂がコーティングされてなる滑り止め部分で、アクセントカラーが施されており、このアクセントカラーによりグリップ箇所を強調できる。また、ダイアル１６，１６’にもアクセントカラーが施されたエラストマー樹脂がコーティングされており、このアクセントカラーにより操作箇所を強調できるとともに、滑らず操作し易くなっている。
【００３０】
而して、既存のハンドシャワのシャワ口部の大きさよりもシャワ口部１３，１４をそれぞれ小さくしても一つのシャワヘッド３３に二つのシャワ口部１３，１４を設けたので、散水範囲を広げることができる。また、シャワ口部１３，１４二つあっても小さいので違和感はなく、むしろ斬新な意匠感を与えうる。更に、各種の散水パターンの組み合わせができる。
【００３１】
図６は、散水状態と止水状態とに切替えるために上記参考例と同一の止水機構を設けるとともに、シャワ口部１３，１４をシャワヘッド３３に対して回動可能に構成してある別の参考例を示す。なお、図６において、図１〜図５で示した符号と同一のものは同一または相当物である。
【００３２】
この参考例では、シャワ口部１３，１４内に上記参考例とは異なる構成を持つ各種散水部材７０を収容するとともに、収容部２０のシャワ口部１３側に形成した連通穴部７１に、散水部材７０に連通するよう構成された回動手段を接続してある。同様に、収容部２０のシャワ口部１４側に形成した連通穴部７２に、散水部材７０に連通するよう構成された回動手段を接続してある。
【００３３】
前記回動手段は、連通穴部７１，７２に接続されたアダプタ８０と、このアダプタ８０に回動自在にはめ込まれたボール８１とよりなる。
【００３４】
また、前記散水部材７０は、散水状態を切替える、すなわち、シャワ散水状態とマッサージ散水状態に切替えるための切替板７３と、切替板７３に設けたシャワ穴およびマッサージ穴間を移動可能に構成された切替玉７４と、シャワ口部１３の切替操作に連動して切替玉７４を移動させうる連動機構（図示せず）とより主としてなる。
【００３５】
なお、上述した止水機構やシャワヘッド回動機構以外に、シャワヘッド３３に流量調節機構を設けてもよい。例えば、水栓本体２（図５参照）からの湯、水、混合水の供給流路Ｓ（図４参照）に連通する連通孔２４を持つ前記筐体２０の前記連通部材２１に供給流路Ｓの流量を調節する流量調節部材を設ける。
【００３６】
また、シャワヘッド３３に節水機構を設けてもよい。例えば、複数の細孔が形成されたディスク状の節水部材を前記連通部材２１の前記連通孔２４内に設置する。
【００３７】
更に、シャワヘッド３３に熱湯の供給を阻止する熱湯阻止機構を設けてもよい。例えば、供給流路Ｓ（図４参照）から熱湯が供給され、所定の熱湯温度になると連通孔２４と供給流路Ｓ（図４参照）を遮断するよう弁体を移動させる形状記憶合金部材を前記弁体と共に前記連通部材２１に設ける。あるいは、供給流路Ｓ（図４参照）の熱湯温度を検知して前記弁体を移動させる温度センサを前記弁体と共に前記連通部材２１に設ける。
【００３８】
図７〜図１２は、上記各参考例とは異なる止水機構を有するこの発明の一実施形態を示す。なお、図７〜図１２において、図１〜図６で示した符号と同一のものは同一または相当物である。
【００３９】
図７〜図１０において、シャワヘッド３３は、前面に同一形状の二つのシャワ口部１３，１４を有する。シャワ口部１３は、既存のハンドシャワのシャワ口部の大きさよりも小さな大きさを有し、シャワ板１５と、二つの異なる散水状態、例えばシャワ散水状態とマッサージ散水状態に切替えるときに操作され切替え時にはシャワ板１５とともに回転するるダイアル１６とよりなる。シャワ口部１４も、既存のハンドシャワのシャワ口部の大きさよりも小さな大きさを有し、シャワ板１５’と、二つの異なる散水状態、例えばシャワ散水状態とマッサージ散水状態に切替えるときに操作され切替え時にはシャワ板１５’とともに回転するダイアル１６’とよりなる。
【００４０】
以下、散水状態と止水状態とに切替えるための止水機構について説明する。
【００４１】
５１は、シャワヘッド３３の背面側に設けられ、散水状態と止水状態とに切替えるための操作部で、シーソー式のボタンに構成されている。この操作部５１は、二分割されており、上ボタン５２〔図１１（Ａ）参照〕と下ボタン５３〔図１１（Ｂ）参照〕とよりなる。両ボタン５２，５３は、適宜の接合手段で接合されている。なお、図１１（Ａ）は、上ボタン５２の正面図を示し、図１１（Ｂ）は、下ボタン５３の正面図を示す。また、図１２（Ａ）は、上ボタン５２の平面図を示し、図１２（Ｂ）は、下ボタン５３の平面図を示す。また、図９の下ボタン５３は、底面側からみている。
【００４２】
前記下ボタン５３は、図１１（Ｂ）にも示すように、これを押せば止水状態となる指標を示すインジケータとしての一対の垂直片５３ａ，５３ａを正面向かって右側に有する一方、これを押せば吐水状態となる指標を示すインジケータとしての一個のチョボ（点）５３ｂを正面向かって左側に有する。図９は、チョボ（点）５３ｂが押された吐水状態を示している。
【００４３】
前記止水機構は、上記各参考例でも示したように、供給流路Ｓおよび流通流路Ｐを連通させるとともに、供給流路Ｓおよび流通流路Ｑを連通させる散水状態と、供給流路Ｓおよび流通流路Ｐを遮断させるとともに供給流路Ｓおよび流通流路Ｑを遮断させる止水状態とに切替える機能を有し、ハンドシャワ３の前記グリップ３４を構成する筐体３４ａの上端部内に取り付けられている。
【００４４】
この実施形態では、前記止水機構は、前記操作部５１と、縦断面π型の開閉弁５５（図１０参照）と、散水状態と止水状態とに切替える操作部５１の往復運動を開閉弁５５の回転運動に変換するためのクランク部材５６と、前記流通流路Ｐ，Ｑを形成する（図８参照）とともに、止水状態において開閉弁５５によって閉塞される開口５７および開閉弁５５が当接する弁座としてのシート５８を有する流通流路形成部材５９と、供給流路Ｓの最下流側を形成する供給流路形成部材６０と、薄板状で、開口６１ａを有し、クランク部材５６を介して両形成部材５９，６０間に介装されるシールパッキン６１とより主としてなる。
【００４５】
更に、クランク部材５６は、図１３（Ａ）、図１３（Ｂ）、図１３（Ｃ）に示すように、平面視メガネ形状をなし、図１０に示すように、流通流路形成部材５９に設けた嵌合孔６２を介して、上ボタン５２に設けた嵌合孔６３に嵌合される上嵌合部６４と、供給流路形成部材６０に設けた嵌合孔６０ａを介して、下ボタン５３に設けた嵌合孔６５に嵌合する下嵌合部６６と、π型の開閉弁５５が着脱自在に嵌め込まれる上向き嵌込孔６７ａを有する弁嵌込み部６７とからなる。
【００４６】
また、前記流通流路形成部材５９は、流通流路Ｐにおける下流側に一方の固定ディスク２５の開口３０に連通する水平連通孔５９ａを有するとともに、流通流路Ｑにおける下流側に他方の固定ディスク２５の開口３０に連通する水平連通孔５９ｂを有する。また、流通流路形成部材５９は、連絡通路５９ｃを有し、この連絡通路５９ｃはカバー６８によって常時被覆されている。
【００４７】
また、前記供給流路形成部材６０は、嵌合孔６０ａとは別に、供給流路Ｓの一部を形成するための連通孔６０ｂを嵌合孔６０ａと並設された状態で有する。この連通孔６０ｂには、供給流路形成部材６０をグリップ３４の筐体３４ａ内に固定支持するための固定部材７５の上端部が嵌め込まれている。また、固定部材７５の下端部は筐体３４ａに取り付けられている。固定部材７５は、供給流路Ｓの一部を形成するための連通孔７５ａを有する。
【００４８】
而して、流通流路形成部材５９の前記開口５７が前記開閉弁５５によって閉塞されていない図８および図９に示す散水状態から、前記開口５７が前記開閉弁５５によって閉塞される図７に示す止水状態への切替えは、図８および図９において、使用者が、下ボタン５３に設けたインジケータとしての一対の垂直片５３ａ，５３ａの箇所を押圧することによりクランク部材５６の上嵌合部６４と下嵌合部６６の部分が回転軸部となって弁嵌込み部６７が前記開口５７の直下に回動し、弁嵌込み部６７に嵌込まれている開閉弁５５がシート５８に当接することになる。
【００４９】
なお、この発明では、シャワヘッドに三つ以上のシャワ口部を設けてもよい。
【００５０】
【発明の効果】
以上説明したようにこの発明は、シャワヘッドに複数のシャワ口部を設けたので、散水範囲を広げることができるとともに、斬新な意匠感を与えるハンドシャワを提供できる。
【図面の簡単な説明】
【図１】    参考例を示す正面図である。
【図２】    上記参考例を示す背面図である。
【図３】    上記参考例におけるシャワ口部を示す横断面図である。
【図４】    上記参考例におけるシャワ口部を示す縦断面図である。
【図５】    上記参考例における使用状態を示す斜視図である。
【図６】    別の参考例におけるシャワ口部を示す横断面図である。
【図７】    この発明の一実施形態における要部縦断面図である。
【図８】    上記実施形態におけるシャワ口部を示す横断面図である。
【図９】    上記実施形態で用いた止水機構の動作を示すための図である。
【図１０】    上記実施形態で用いた止水機構の主たる構成部材を示す図である。
【図１１】    （Ａ）は、上記実施形態で用いた操作部の上ボタンを示す正面図である。
（Ｂ）は、上記実施形態で用いた操作部の下ボタンを示す正面図である。
【図１２】    （Ａ）は、上記実施形態で用いた操作部の上ボタンを示す平面図である。
（Ｂ）は、上記実施形態で用いた操作部の下ボタンを示す平面図である。
【図１３】    （Ａ）は、上記実施形態で用いたクランク部材を示す平面図である。
（Ｂ）は、上記実施形態で用いたクランク部材を示す縦断面図である。
（Ｃ）は、上記実施形態で用いたクランク部材を示す底面図である。
【符号の説明】
１…水栓本体、３…ハンドシャワ、４…グリップ、１３，１４…シャワ口部、１５，１５’…シャワ板、１６，１６’…ダイアル、３３…シャワヘッド、３４…シャワホース、４１，４２，４３，４３ａ，４５，４６、５１，５５，５６，５９，６０，６１…止水機構、４６，５１…操作部、５２…上ボタン、５３…下ボタン、５３ａ，５３ｂ…インジケータ、５５…開閉弁、５６…クランク部材、５８…シート、５９…流通流路形成部材、６０…供給流路形成部材、６０ａ…嵌合孔、６２，６３，６５…嵌合孔、６４…上嵌合部、６６…下嵌合部、６７…弁嵌込み部、６７ａ…上向き嵌込孔、Ｓ…供給流路、Ｐ，Ｑ…流通流路。
【図１】
0004030798.tif 000002
【図２】
0004030798.tif 000003
【図３】
0004030798.tif 000004
【図４】
0004030798.tif 000005
【図５】
0004030798.tif 000006
【図６】
0004030798.tif 000007
【図７】
0004030798.tif 000008
【図８】
0004030798.tif 000009
【図９】
0004030798.tif 000010
【図１０】
0004030798.tif 000011
【図１１】
0004030798.tif 000012
【図１２】
0004030798.tif 000013
【図１３】
0004030798.tif 000014